(57)【特許請求の範囲】
【請求項１】
不平衡端子と、第１，第２の平衡端子とに接続される平衡−不平衡変換機能を有するバランス型弾性表面波フィルタであって、
圧電基板と、
前記圧電基板上において表面波伝搬方向に沿って配置された第１〜第３のＩＤＴを有し、中央の第２のＩＤＴまたは両側の第１，第３のＩＤＴが不平衡端子に接続されており、両側の第１，第３のＩＤＴまたは中央の第２のＩＤＴが第１の平衡端子に接続されている第１の弾性表面波フィルタ部と、
前記圧電基板上において表面波伝搬方向に配置された第１〜第３のＩＤＴを有し、中央に配置された第２のＩＤＴまたは両側の第１，第３のＩＤＴが前記不平衡端子に接続されており、両側の第１，第３のＩＤＴまたは中央の第２のＩＤＴが第２の平衡端子に接続されており、第１の弾性表面波フィルタ部とは入力信号に対する出力信号の位相が１８０度異なるように構成されている第２の弾性表面波フィルタ部とを備え、
前記第１，第２の弾性表面波フィルタ部において、表面波伝搬方向にギャップを隔てて隣り合っている一対のＩＤＴにおいて、ギャップに面している電極指を含む一部の電極指の周期が、ＩＤＴの主たる部分の電極指の周期よりも小さくされている狭ピッチ電極指部とされており、
第１，第２の弾性表面波フィルタ部の前記不平衡端子に接続されているＩＤＴの狭ピッチ電極指部の電極指ピッチをＰ１、前記平衡端子に接続されているＩＤＴの狭ピッチ電極指部の電極指ピッチをＰ２、第１，第２の弾性表面波フィルタ部の前記不平衡端子に接続されているＩＤＴの狭ピッチ電極指部以外の電極指部の電極指の本数をＫ１、前記平衡端子に接続されているＩＤＴの狭ピッチ電極指部以外の電極指部の電極指の本数をＫ２としたときに、
Ｐ１＞Ｐ２
１．１２≦Ｋ１／Ｋ２≦１．６５
とされていることを特徴とする、バランス型弾性表面波フィルタ。
【請求項２】
不平衡端子と、第１，第２の平衡端子とに接続される平衡−不平衡変換機能を有するバランス型弾性表面波フィルタであって、
圧電基板と、
前記圧電基板上において表面波伝搬方向に沿って配置された第１〜第３のＩＤＴを有し、中央の第２のＩＤＴまたは両側の第１，第３のＩＤＴが不平衡端子に接続されており、両側の第１，第３のＩＤＴまたは中央の第２のＩＤＴが第１の平衡端子に接続されている第１の弾性表面波フィルタ部と、
前記圧電基板上において表面波伝搬方向に配置された第１〜第３のＩＤＴを有し、中央に配置された第２のＩＤＴまたは両側の第１，第３のＩＤＴが前記不平衡端子に接続されており、両側の第１，第３のＩＤＴまたは中央の第２のＩＤＴが第２の平衡端子に接続されており、第１の弾性表面波フィルタ部とは入力信号に対する出力信号の位相が１８０度異なるように構成されている第２の弾性表面波フィルタ部とを備え、
前記第１，第２の弾性表面波フィルタ部において、表面波伝搬方向にギャップを隔てて隣り合っている一対のＩＤＴにおいて、ギャップに面している電極指を含む一部の電極指の周期が、ＩＤＴの主たる部分の電極指の周期よりも小さくされている狭ピッチ電極指部とされており、
第１，第２の弾性表面波フィルタ部の前記不平衡端子に接続されているＩＤＴの狭ピッチ電極指部の電極指ピッチをＰ１、前記平衡端子に接続されているＩＤＴの狭ピッチ電極指部の電極指ピッチをＰ２、第１，第２の弾性表面波フィルタ部の前記不平衡端子に接続されているＩＤＴの狭ピッチ電極指部以外の電極指部の電極指の本数をＫ１、前記平衡端子に接続されているＩＤＴの狭ピッチ電極指部以外の電極指部の電極指の本数をＫ２、前記第１，第２の弾性表面波フィルタ部の前記不平衡端子に接続されているＩＤＴの狭ピッチ電極指部の電極指の本数をＫ１ｎ、前記平衡端子に接続されているＩＤＴの狭ピッチ電極指部の電極指の本数をＫ２ｎとしたときに、
Ｐ１＞Ｐ２
Ｋ１ｎ＝Ｋ２ｎ
１．１２≦Ｋ１／Ｋ２≦１．６５
とされていることを特徴とする、請求項１に記載のバランス型弾性表面波フィルタ。
【請求項３】
第１，第２の弾性表面波フィルタ部におけるメタライゼーションレシオをｄ、電極指交差幅をＷとしたときに、６７．４λＩ≦Ｗ／ｄ≦７４．３λＩ（但し、λＩはＩＤＴの波長）とされている、請求項１または２に記載のバランス型弾性表面波フィルタ。
【請求項４】
平衡端子と、第１，第２の不平衡端子に接続される平衡−不平衡変換機能を有するバランス型弾性表面波フィルタであって、
圧電基板と、
前記圧電基板上において表面波伝搬方向に配置された第１〜第３のＩＤＴとを備え、
前記第２のＩＤＴが前記不平衡端子に接続されており、両側の第１，第３のＩＤＴが第１，第２の平衡端子にそれぞれ接続されており、
前記第１〜第３のＩＤＴが隣り合う部分において、各ＩＤＴは狭ピッチ電極指部を有し、該狭ピッチ電極指部の電極指ピッチは、狭ピッチ電極指が設けられているＩＤＴの主たる電極指部の電極指ピッチよりも小さくされており、
第１のＩＤＴの位相が第３のＩＤＴの位相に１８０度反転されており、
前記中央に位置している第２のＩＤＴの狭ピッチ電極指部の電極指ピッチをＰ１、前記第１，第３のＩＤＴの狭ピッチ電極指部の電極指ピッチをＰ２、第２のＩＤＴの狭ピッチ電極指部以外の電極指部の電極指の本数をＫ１、第１，第３のＩＤＴの狭ピッチ電極指部以外の電極指部の電極指の本数をＫ２としたときに、
Ｐ１＞Ｐ２
１．１２≦Ｋ１／Ｋ２≦１．６５
とされていることを特徴とする、バランス型弾性表面波フィルタ。
【請求項５】
平衡端子と、第１，第２の不平衡端子に接続される平衡−不平衡変換機能を有するバランス型弾性表面波フィルタであって、
圧電基板と、
前記圧電基板上において表面波伝搬方向に配置された第１〜第３のＩＤＴとを備え、
前記第２のＩＤＴが前記不平衡端子に接続されており、両側の第１，第３のＩＤＴが第１，第２の平衡端子にそれぞれ接続されており、
前記第１〜第３のＩＤＴが隣り合う部分において、各ＩＤＴは狭ピッチ電極指部を有し、該狭ピッチ電極指部の電極指ピッチは、狭ピッチ電極指が設けられているＩＤＴの主たる電極指部の電極指ピッチよりも小さくされており、
第１のＩＤＴの位相が第３のＩＤＴの位相に１８０度反転されており、
前記中央に位置している第２のＩＤＴの狭ピッチ電極指部の電極指ピッチをＰ１、前記第１，第３のＩＤＴの狭ピッチ電極指部の電極指ピッチをＰ２、第２のＩＤＴの狭ピッチ電極指部以外の電極指部の電極指の本数をＫ１、第１，第３のＩＤＴの狭ピッチ電極指部以外の電極指部の電極指の本数をＫ２、第２のＩＤＴの狭ピッチ電極指部の電極指の本数をＫ１ｎ、第１，第３のＩＤＴの狭ピッチ電極指部の電極指の本数をＫ２ｎとしたときに、
Ｐ１＞Ｐ２
Ｋ１ｎ＝Ｋ２ｎ
１．１２≦Ｋ１／Ｋ２≦１．６５
とされていることを特徴とする、請求項４に記載のバランス型弾性表面波フィルタ。
【請求項６】
第１〜第３のＩＤＴのメタライゼーションレシオをｄ、電極指交差幅をＷとしたときに、１３４．８λＩ≦Ｗ／ｄ≦１４８．６λＩ（但し、λＩはＩＤＴの波長）とされている、請求項４または５に記載のバランス型弾性表面波フィルタ。
【請求項７】
不平衡端子と、第１，第２の平衡端子とに接続される平衡−不平衡変換機能を有するバランス型弾性表面波フィルタであって、
圧電基板と、
圧電基板上において表面波伝搬方向に配置された第１〜第３のＩＤＴとを備え、表面波伝搬方向両側に位置する第１，第３のＩＤＴが、前記不平衡端子に接続されており、
前記第２のＩＤＴが、表面波伝搬方向に分割された第１，第２のＩＤＴ部を有し、第１，第２のＩＤＴ部がそれぞれ第１，第２の平衡信号端子に電気的に接続されており、不平衡端子から第１の平衡信号端子に流れる信号の位相が、不平衡端子から第２の平衡信号端子に流れる位相と１８０度反転されるように第１〜第３のＩＤＴが構成されており、
前記第１〜第３のＩＤＴがギャップを隔てて表面波伝搬方向において隣り合う部分において、該ギャップ近傍の複数本の電極指が相対的にピッチが狭い狭ピッチ電極指部とされており、
前記不平衡信号端子に接続されている第１，第３のＩＤＴの狭ピッチ電極指部の電極指ピッチをＰ１、第１，第２の平衡信号端子に第１，第２のＩＤＴ部が接続されている第２のＩＤＴの狭ピッチ電極指部の電極指ピッチをＰ２、第１，第３のＩＤＴの狭ピッチ電極指部以外の電極指部の電極指の本数をＫ１、第２のＩＤＴの狭ピッチ電極指部以外の電極指部の電極指の本数をＫ２としたときに、
Ｐ１＞Ｐ２
１．１２≦Ｋ１／Ｋ２≦１．６５
とされていることを特徴とする、バランス型弾性表面波フィルタ。
【請求項８】
不平衡端子と、第１，第２の平衡端子とに接続される平衡−不平衡変換機能を有するバランス型弾性表面波フィルタであって、
圧電基板と、
圧電基板上において表面波伝搬方向に配置された第１〜第３のＩＤＴとを備え、表面波伝搬方向両側に位置する第１，第３のＩＤＴが、前記不平衡端子に接続されており、
前記第２のＩＤＴが、表面波伝搬方向に分割された第１，第２のＩＤＴ部を有し、第１，第２のＩＤＴ部がそれぞれ第１，第２の平衡信号端子に電気的に接続されており、不平衡端子から第１の平衡信号端子に流れる信号の位相が、不平衡端子から第２の平衡信号端子に流れる位相と１８０度反転されるように第１〜第３のＩＤＴが構成されており、
前記第１〜第３のＩＤＴがギャップを隔てて表面波伝搬方向において隣り合う部分において、該ギャップ近傍の複数本の電極指が相対的にピッチが狭い狭ピッチ電極指部とされており、
前記不平衡信号端子に接続されている第１，第３のＩＤＴの狭ピッチ電極指部の電極指ピッチをＰ１、第１，第２の平衡信号端子に第１，第２のＩＤＴ部が接続されている第２のＩＤＴの狭ピッチ電極指部の電極指ピッチをＰ２、第１，第３のＩＤＴの狭ピッチ電極指部以外の電極指部の電極指の本数をＫ１、第２のＩＤＴの狭ピッチ電極指部以外の電極指部の電極指の本数をＫ２、第１，第３のＩＤＴの狭ピッチ電極指部の電極指の本数をＫ１ｎ、第２のＩＤＴの狭ピッチ電極指部の電極指の本数をＫ２ｎとしたときに、
Ｐ１＞Ｐ２
Ｋ１ｎ＝Ｋ２ｎ
１．１２≦Ｋ１／Ｋ２≦１．６５
とされていることを特徴とする、請求項７に記載のバランス型弾性表面波フィルタ。
【請求項９】
第１〜第３のＩＤＴのメタライゼーションレシオをｄ、電極指交差幅をＷとしたときに、１３４．８λＩ≦Ｗ／ｄ≦１４８．６λＩ（但し、λＩはＩＤＴの波長）とされている、請求項７または８に記載のバランス型弾性表面波フィルタ。
【請求項１０】
不平衡端子と、第１，第２の平衡端子とに接続される平衡−不平衡変換機能を有するバランス型弾性表面波フィルタであって、
圧電基板と、
前記圧電基板上において表面波伝搬方向に沿って配置された第１〜第３のＩＤＴを有し、中央の第２のＩＤＴまたは両側の第１，第３のＩＤＴが不平衡端子に接続されており、両側の第１，第３のＩＤＴまたは中央の第２のＩＤＴが第１の平衡端子に接続されている第１の表面波フィルタ部と、
前記圧電基板上において表面波伝搬方向に配置された第１〜第３のＩＤＴを有し、中央に配置された第２のＩＤＴまたは両側の第１，第３のＩＤＴが前記不平衡端子に接続されており、両側の第１，第３のＩＤＴまたは中央の第２のＩＤＴが第２の平衡端子に接続されており、第１の弾性表面波フィルタ部とは入力信号に対する出力信号の位相が１８０度異なるように構成されている第２の弾性表面波フィルタ部とを備え、
前記第１，第２の弾性表面波フィルタ部において、表面波伝搬方向にギャップを隔てて隣り合っている一対のＩＤＴにおいて、ギャップに面している電極指を含む一部の電極指の周期が、ＩＤＴの主たる部分の電極指の周期よりも小さくされている狭ピッチ電極指部とされており、
第１，第２の弾性表面波フィルタ部の前記不平衡端子に接続されているＩＤＴの狭ピッチ電極指部の電極指ピッチをＰ１、該狭ピッチ電極指部の電極指の本数をＮ１、前記第１，第２の平衡端子にそれぞれ接続されているＩＤＴの狭ピッチ電極指部の電極指ピッチをＰ２、該狭ピッチ電極指部の電極指の本数をＮ２としたときに、
Ｐ１＜Ｐ２
Ｎ１＜Ｎ２
とされていることを特徴とする、バランス型弾性表面波フィルタ。
【請求項１１】
平衡端子と、第１，第２の不平衡端子に接続される平衡−不平衡変換機能を有するバランス型弾性表面波フィルタであって、
圧電基板と、
前記圧電基板上において表面波伝搬方向に配置された第１〜第３のＩＤＴとを備え、
前記第２のＩＤＴが前記不平衡端子に接続されており、両側の第１，第３のＩＤＴが第１，第２の平衡端子にそれぞれ接続されており、
前記第１〜第３のＩＤＴが隣り合う部分において、各ＩＤＴは狭ピッチ電極指部を有し、該狭ピッチ電極指部の電極指ピッチは、狭ピッチ電極指が設けられているＩＤＴの主たる電極指部の電極指ピッチよりも小さくされており、
第１のＩＤＴの位相が第３のＩＤＴの位相に１８０度反転されており、
前記不平衡端子に接続されている第２のＩＤＴの狭ピッチ電極指部の電極指ピッチをＰ１、該狭ピッチ電極指部の電極指の本数をＮ１、前記第１，第２の平衡端子にそれぞれ接続されている前記第１，第３のＩＤＴの狭ピッチ電極指部の電極指ピッチをＰ２、該狭ピッチ電極指部の電極指の本数をＮ２としたときに、
Ｐ１＜Ｐ２
Ｎ１＜Ｎ２
とされていることを特徴とする、バランス型弾性表面波フィルタ。
【請求項１２】
不平衡端子と、第１，第２の平衡端子とに接続される平衡−不平衡変換機能を有するバランス型弾性表面波フィルタであって、
圧電基板と、
圧電基板上において表面波伝搬方向に配置された第１〜第３のＩＤＴとを備え、表面波伝搬方向両側に位置する第１，第３のＩＤＴが、前記不平衡端子に接続されており、
前記第２のＩＤＴが、表面波伝搬方向に分割された第１，第２のＩＤＴ部を有し、第１，第２のＩＤＴ部がそれぞれ第１，第２の平衡信号端子に電気的に接続されており、不平衡端子から第１の平衡信号端子に流れる信号の位相が、不平衡端子から第２の平衡信号端子に流れる位相と１８０度反転されるように第１〜第３のＩＤＴが構成されており、
前記第１〜第３のＩＤＴがギャップを隔てて表面波伝搬方向に隣り合っている部分において、第１〜第３のＩＤＴがギャップに近接する部分に狭ピッチ電極指部を有し、
不平衡信号端子に接続されている第１，第３のＩＤＴの狭ピッチ電極指部の電極指ピッチをＰ１、該狭ピッチ電極指部の電極指の本数をＮ１、前記第１，第２の平衡信号端子にそれぞれ第１，第２のＩＤＴ部が接続されている第２のＩＤＴの狭ピッチ電極指部の電極指ピッチをＰ２、該狭ピッチ電極指部の電極指の本数をＮ２としたときに、
Ｐ１＜Ｐ２
Ｎ１＜Ｎ２
とされていることを特徴とする、バランス型弾性表面波フィルタ。
【発明の詳細な説明】
【技術分野】
【０００１】
本発明は、平衡−不平衡変換機能を有するバランス型弾性表面波フィルタに関し、より詳細には、ＩＤＴが狭ピッチ電極指部を有し、かつ入出力インピーダンスの比が特定の値とされているバランス型弾性表面波フィルタに関する。
【背景技術】
【０００２】
従来、携帯電話機などの通信機器において、平衡−不平衡変換機能を有するバランス型弾性表面波フィルタが広く用いられている。例えば、下記の特許文献１には、図２６に示すバランス型弾性表面波フィルタが開示されている。【０００３】
図２６に示すバランス型弾性表面波フィルタ５０１では、不平衡入力端子５０２に、縦結合共振子型表面波フィルタ部５０３，５０４が接続されている。表面波フィルタ部５０３，５０４は、それぞれ、表面波伝搬方向に配置された第１〜第３のＩＤＴ（インターデジタルトランスデューサ）５０３ａ〜５０３ｃ及び５０４ａ〜５０４ｃを有する。中央の第２のＩＤＴ５０３ｂ，５０４ｂが、不平衡入力端子５０２に電気的に接続されている。そして、表面波伝搬方向において、ＩＤＴ５０３ｂの両側に配置された第１，第３のＩＤＴ５０３ａ，５０３ｃが、第１の平衡出力端子５０５に電気的に接続されている。他方、弾性表面波フィルタ部５０４の中央のＩＤＴ５０４ｂの両側に配置されている第１，第３のＩＤＴ５０４ａ，５０４ｃが第２の平衡出力端子５０６に電気的に接続されている。【０００４】
バランス型弾性表面波フィルタ５０１では、不平衡入力端子５０２側の入力インピーダンスが５０Ωとされており、第１，第２の平衡出力端子５０５，５０６側の特性インピーダンスは１５０Ωとされている。すなわち、入出力のインピーダンス比は１：３とされていた。これは、バランス型弾性表面波フィルタ５０１の入力端にはアンテナが接続されるため、通常５０Ωとされていたのに対し、出力側に接続されるＩＣの入力インピーダンスは１５０Ωであったことによる。【０００５】
他方、下記の特許文献２，３には、それぞれ、特許文献１に記載のバランス型弾性表面波フィルタと同様に、平衡−不平衡変換機能を有する但し、電極構造は異なるバランス型弾性表面波フィルタが開示されている。特許文献２，３に記載のバランス型弾性表面波フィルタにおいても、不平衡信号端子と平衡信号端子のインピーダンス比は、１：３〜１：４と程度とされていた。【０００６】
他方、近年、この種のバランス型弾性表面波フィルタの出力側に接続されるＩＣとして、入力インピーダンスが１００Ω程度の平衡型ミキサーＩＣが市販されている。このようなＩＣに対応するには、該ＩＣに接続されるバランス型弾性表面波フィルタの出力インピーダンスは１００Ωとすることが求められている。また、入力端子側のインピーダンスを５０Ωとする場合には、弾性表面波フィルタの入出力インピーダンス比は１：２とすることが求められている。
下記の特許文献４には、平衡−不平衡変換機能を有し、不平衡信号端子と平衡信号端子のインピーダンス比が１：２とされたバランス型弾性表面波フィルタが開示されている。図２７は、特許文献４に記載のバランス型弾性表面波フィルタの電極構造を示す平面図である。バランス型弾性表面波フィルタ６０１では、不平衡入力端子６０２に、縦結合共振子型弾性表面波フィルタ部６０３，６０４が接続されている。縦結合共振子型弾性表面波フィルタ部６０３，６０４は、それぞれ、表面波伝搬方向に配置された第１〜第３のＩＤＴ６０３ａ〜６０３ｃ，６０４ａ〜６０４ｃを有する。中央の第２のＩＤＴ６０３ｂ，６０４ｂが、それぞれ、不平衡入力端子６０２に電気的に接続されている。ＩＤＴ６０３ｂの表面波伝搬方向両側に位置する第１，第３のＩＤＴ６０３ａ，６０３ｃは、第１の平衡出力端子６０５に電気的に接続されている。同様に、弾性表面波フィルタ部６０４においてＩＤＴ６０４ｂの表面波伝搬方向両側に位置しているＩＤＴ６０４ａ，６０４ｃが、第２の平衡出力端子６０６に電気的に接続されている。【０００７】
ここでは、ＩＤＴ６０３ａ，６０３ｂは、表面波伝搬方向においてギャップを隔てて隣り合っている部分近傍に、狭ピッチ電極指部Ｎを有する。すなわち、ＩＤＴ６０３ａのＩＤＴ６０３ｂ近傍部分の電極指ピッチが、残りの部分に比べて電極指ピッチが狭くされている。この電極指ピッチが相対的に狭いＩＤＴ部分を、狭ピッチ電極指部Ｎという。同様に、ＩＤＴ６０３ｂのＩＤＴ６０３ａ側端部近傍にも狭ピッチ電極指部Ｎが設けられている。さらに、ＩＤＴ６０３ｂ，６０３ｃ，ＩＤＴ６０４ａ〜６０４ｃにおいても、ギャップを隔てて隣り合っている部分近傍に、それぞれ狭ピッチ電極指部Ｎが設けられている。【０００８】
そして、特許文献４に記載のバランス型弾性表面波フィルタ６０１では、不平衡入力端子６０２側のＩＤＴ６０３ｂ，６０４ｂと平衡出力端子６０５，６０６側のＩＤＴ６０３ａ，６０３ｃ，６０４ａ，６０４ｃとで電極指の対数比を異ならせることにより、入出力インピーダンス比が１：２とされ得る旨が記載されている。
【特許文献１】特開２００１−３０８６７２号公報
【特許文献２】特開平６−２０４７８１号公報
【特許文献３】特開平１１−９７９６６号公報
【特許文献４】特開２００４−４８６７５号公報
【発明の開示】
【０００９】
弾性表面波フィルタでは、ＩＤＴのインピーダンスは電極指交叉幅が大きくなるほど小さくなり、電極指の本数が多くなるほど小さくなる。図２７に示した弾性表面波フィルタ６０１では、例えば弾性表面波フィルタ部６０３における中央のＩＤＴ６０３ｂが不平衡入力端子６０２に接続されており、両側のＩＤＴ６０３ａ，６０３ｃが第１の平衡出力端子６０５に接続されている。
【００１０】
従って、不平衡信号端子−平衡信号端子のインピーダンス比を調整するために、ＩＤＴ６０３ｂの交叉幅と、ＩＤＴ６０３ａ、６０３ｃの交叉幅とを異ならせることはできない。よって、前述したように、不平衡側のＩＤＴ６０３ｂの電極指の対数と、平衡側のＩＤＴ６０３ａ、６０３ｃの電極指の対数とを異ならせることにより、入出力インピーダンス比が変化されている。例えば、第１の平衡出力端子６０５のインピーダンスは、平衡側ＩＤＴ６０３ａの電極指の対数に依存した値となる。これは、平衡出力端子６０５に、ＩＤＴ６０３ａ，６０３ｃが並列接続されており、かつアース電位を介して平衡出力端子６０５と平衡出力端子６０６とが直列接続されていることによる。これに対して、不平衡端子６０２側のインピーダンスは、不平衡側ＩＤＴ６０３ｂの電極指の対数の１／２に相当した値となる。すなわち、平衡側ＩＤＴ６０３ａの電極指の対数に対し、不平衡側ＩＤＴ６０３ｂの電極指の対数を１／２とすれば、不平衡信号端子−平衡信号端子のインピーダンス比を１：２とすることができる。
【００１１】
しかしながら、不平衡側のＩＤＴ６０３ｂ，６０４ｂの対数と、両側のＩＤＴ６０３ａ，６０３ｃ，６０４ａ，６０４ｃの対数との比を変化させた場合、弾性表面波フィルタ６０１の通過帯域を得るための複数の共振モードの共振周波数に影響を与えるという問題があった。従って、対数比を大きく変えることはできなかった。また、不平衡側のＩＤＴの対数が、平衡側のＩＤＴ６０３ａ，６０３ｃの対数よりもかなり少なくなるため、フィルタとしての十分な帯域幅を得ることができないという問題があった。
【００１２】
加えて、電極指の対数比を変化させる方法では、不平衡信号端子と平衡信号端子のインピーダンス比を正確に１：２とすることはできず、１：２からずれがちであった。
【００１３】
本発明の目的は、上述した従来技術の欠点を解消し、平衡−不平衡変換機能を有し、帯域幅や損失などのフィルタ特性を劣化させることなく、通過帯域を得るための複数の共振モードのインピーダンス調整の自由度を高めることができ、従って不平衡信号端子−平衡信号端子のインピーダンス比を１：２などに容易にかつ正確に設定することができ、しかも十分な帯域幅を有する弾性表面波フィルタを提供することにある。
【００１４】
本願の第１の発明は、不平衡端子と、第１，第２の平衡端子とに接続される平衡−不平衡変換機能を有するバランス型弾性表面波フィルタであって、圧電基板と、前記圧電基板上において表面波伝搬方向に沿って配置された第１〜第３のＩＤＴを有し、中央の第２のＩＤＴまたは両側の第１，第３のＩＤＴが不平衡端子に接続されており、両側の第１，第３のＩＤＴまたは中央の第２のＩＤＴが第１の平衡端子に接続されている第１の弾性表面波フィルタ部と、前記圧電基板上において表面波伝搬方向に配置された第１〜第３のＩＤＴを有し、中央に配置された第２のＩＤＴまたは両側の第１，第３のＩＤＴが前記不平衡端子に接続されており、両側の第１，第３のＩＤＴまたは中央の第２のＩＤＴが第２の平衡端子に接続されており、第１の弾性表面波フィルタ部とは入力信号に対する出力信号の位相が１８０度異なるように構成されている第２の弾性表面波フィルタ部とを備え、前記第１，第２の弾性表面波フィルタ部において、表面波伝搬方向にギャップを隔てて隣り合っている一対のＩＤＴにおいて、ギャップに面している電極指を含む一部の電極指の周期が、ＩＤＴの主たる部分の電極指の周期よりも小さくされている狭ピッチ電極指部とされており、第１，第２の弾性表面波フィルタ部の前記不平衡端子に接続されているＩＤＴの狭ピッチ電極指部の電極指ピッチをＰ１、前記平衡端子に接続されているＩＤＴの狭ピッチ電極指部の電極指ピッチをＰ２、第１，第２の弾性表面波フィルタ部の前記不平衡端子に接続されているＩＤＴの狭ピッチ電極指部以外の電極指部の電極指の本数をＫ１、前記平衡端子に接続されているＩＤＴの狭ピッチ電極指部以外の電極指部の電極指の本数をＫ２としたときに、
Ｐ１＞Ｐ２
１．１２≦Ｋ１／Ｋ２≦１．６５
とされていることを特徴とする。
【００１５】
第２の発明は、不平衡端子と、第１，第２の平衡端子とに接続される平衡−不平衡変換機能を有するバランス型弾性表面波フィルタであって、圧電基板と、前記圧電基板上において表面波伝搬方向に沿って配置された第１〜第３のＩＤＴを有し、中央の第２のＩＤＴまたは両側の第１，第３のＩＤＴが不平衡端子に接続されており、両側の第１，第３のＩＤＴまたは中央の第２のＩＤＴが第１の平衡端子に接続されている第１の弾性表面波フィルタ部と、前記圧電基板上において表面波伝搬方向に配置された第１〜第３のＩＤＴを有し、中央に配置された第２のＩＤＴまたは両側の第１，第３のＩＤＴが前記不平衡端子に接続されており、両側の第１，第３のＩＤＴまたは中央の第２のＩＤＴが第２の平衡端子に接続されており、第１の弾性表面波フィルタ部とは入力信号に対する出力信号の位相が１８０度異なるように構成されている第２の弾性表面波フィルタ部とを備え、前記第１，第２の弾性表面波フィルタ部において、表面波伝搬方向にギャップを隔てて隣り合っている一対のＩＤＴにおいて、ギャップに面している電極指を含む一部の電極指の周期が、ＩＤＴの主たる部分の電極指の周期よりも小さくされている狭ピッチ電極指部とされており、第１，第２の弾性表面波フィルタ部の前記不平衡端子に接続されているＩＤＴの狭ピッチ電極指部の電極指ピッチをＰ１、前記平衡端子に接続されているＩＤＴの狭ピッチ電極指部の電極指ピッチをＰ２、第１，第２の弾性表面波フィルタ部の前記不平衡端子に接続されているＩＤＴの狭ピッチ電極指部以外の電極指部の電極指の本数をＫ１、前記平衡端子に接続されているＩＤＴの狭ピッチ電極指部以外の電極指部の電極指の本数をＫ２、前記第１，第２の弾性表面波フィルタ部の前記不平衡端子に接続されているＩＤＴの狭ピッチ電極指部の電極指の本数をＫ１ｎ、前記平衡端子に接続されているＩＤＴの狭ピッチ電極指部の電極指の本数をＫ２ｎとしたときに、
Ｐ１＞Ｐ２
Ｋ１ｎ＝Ｋ２ｎ
１．１２≦Ｋ１／Ｋ２≦１．６５
とされていることを特徴とする。
【００１６】
第１，第２の発明に係るバランス型弾性表面波フィルタでは、好ましくは、第１，第２の弾性表面波フィルタ部におけるメタライゼーションレシオをｄ、電極指交叉幅をＷとした時に、６７．４λＩ≦Ｗ／ｄ≦７４．３λＩ（但し、λＩはＩＤＴの波長）とされている。
【００１７】
本願の第３の発明は、平衡端子と、第１，第２の不平衡端子に接続される平衡−不平衡変換機能を有するバランス型弾性表面波フィルタであって、圧電基板と、前記圧電基板上において表面波伝搬方向に配置された第１〜第３のＩＤＴとを備え、前記第２のＩＤＴが前記不平衡端子に接続されており、両側の第１，第３のＩＤＴが第１，第２の平衡端子にそれぞれ接続されており、前記第１〜第３のＩＤＴが隣り合う部分において、各ＩＤＴは狭ピッチ電極指部を有し、該狭ピッチ電極指部の電極指ピッチは、狭ピッチ電極指が設けられているＩＤＴの主たる電極指部の電極指ピッチよりも小さくされており、第１のＩＤＴの位相が第３のＩＤＴの位相に１８０度反転されており、前記中央に位置している第２のＩＤＴの狭ピッチ電極指部の電極指ピッチをＰ１、前記第１，第３のＩＤＴの狭ピッチ電極指部の電極指ピッチをＰ２、第２のＩＤＴの狭ピッチ電極指部以外の電極指部の電極指の本数をＫ１、第１，第３のＩＤＴの狭ピッチ電極指部以外の電極指部の電極指の本数をＫ２としたときに、
Ｐ１＞Ｐ２
１．１２≦Ｋ１／Ｋ２≦１．６５
とされていることを特徴とする。
【００１８】
第４の発明は、平衡端子と、第１，第２の不平衡端子に接続される平衡−不平衡変換機能を有するバランス型弾性表面波フィルタであって、圧電基板と、前記圧電基板上において表面波伝搬方向に配置された第１〜第３のＩＤＴとを備え、前記第２のＩＤＴが前記不平衡端子に接続されており、両側の第１，第３のＩＤＴが第１，第２の平衡端子にそれぞれ接続されており、前記第１〜第３のＩＤＴが隣り合う部分において、各ＩＤＴは狭ピッチ電極指部を有し、該狭ピッチ電極指部の電極指ピッチは、狭ピッチ電極指が設けられているＩＤＴの主たる電極指部の電極指ピッチよりも小さくされており、第１のＩＤＴの位相が第３のＩＤＴの位相に１８０度反転されており、前記中央に位置している第２のＩＤＴの狭ピッチ電極指部の電極指ピッチをＰ１、前記第１，第３のＩＤＴの狭ピッチ電極指部の電極指ピッチをＰ２、第２のＩＤＴの狭ピッチ電極指部以外の電極指部の電極指の本数をＫ１、第１，第３のＩＤＴの狭ピッチ電極指部以外の電極指部の電極指の本数をＫ２、第２のＩＤＴの狭ピッチ電極指部の電極指の本数をＫ１ｎ、第１，第３のＩＤＴの狭ピッチ電極指部の電極指の本数をＫ２ｎとしたときに、
Ｐ１＞Ｐ２
Ｋ１ｎ＝Ｋ２ｎ
１．１２≦Ｋ１／Ｋ２≦１．６５
とされていることを特徴とする。
【００１９】
第３，第４の発明のバランス型弾性表面波フィルタでは、好ましくは、第１〜第３のＩＤＴのメタライゼーションレシオをｄ、電極指交叉幅をＷとした時に、１３４．８λＩ≦Ｗ／ｄ≦１４８．６λＩ（但し、λＩはＩＤＴの波長）とされている。
【００２０】
第５の発明は、不平衡端子と、第１，第２の平衡端子とに接続される平衡−不平衡変換機能を有するバランス型弾性表面波フィルタであって、圧電基板と、圧電基板上において表面波伝搬方向に配置された第１〜第３のＩＤＴとを備え、表面波伝搬方向両側に位置する第１，第３のＩＤＴが、前記不平衡端子に接続されており、前記第２のＩＤＴが、表面波伝搬方向に分割された第１，第２のＩＤＴ部を有し、第１，第２のＩＤＴ部がそれぞれ第１，第２の平衡信号端子に電気的に接続されており、不平衡端子から第１の平衡信号端子に流れる信号の位相が、不平衡端子から第２の平衡信号端子に流れる位相と１８０度反転されるように第１〜第３のＩＤＴが構成されており、前記第１〜第３のＩＤＴがギャップを隔てて表面波伝搬方向において隣り合う部分において、該ギャップ近傍の複数本の電極指が相対的にピッチが狭い狭ピッチ電極指部とされており、前記不平衡信号端子に接続されている第１，第３のＩＤＴの狭ピッチ電極指部の電極指ピッチをＰ１、第１，第２の平衡信号端子に第１，第２のＩＤＴ部が接続されている第２のＩＤＴの狭ピッチ電極指部の電極指ピッチをＰ２、第１，第３のＩＤＴの狭ピッチ電極指部以外の電極指部の電極指の本数をＫ１、第２のＩＤＴの狭ピッチ電極指部以外の電極指部の電極指の本数をＫ２としたときに、
Ｐ１＞Ｐ２
１．１２≦Ｋ１／Ｋ２≦１．６５
とされていることを特徴とする。
【００２１】
第６の発明は、不平衡端子と、第１，第２の平衡端子とに接続される平衡−不平衡変換機能を有するバランス型弾性表面波フィルタであって、圧電基板と、圧電基板上において表面波伝搬方向に配置された第１〜第３のＩＤＴとを備え、表面波伝搬方向両側に位置する第１，第３のＩＤＴが、前記不平衡端子に接続されており、前記第２のＩＤＴが、表面波伝搬方向に分割された第１，第２のＩＤＴ部を有し、第１，第２のＩＤＴ部がそれぞれ第１，第２の平衡信号端子に電気的に接続されており、不平衡端子から第１の平衡信号端子に流れる信号の位相が、不平衡端子から第２の平衡信号端子に流れる位相と１８０度反転されるように第１〜第３のＩＤＴが構成されており、前記第１〜第３のＩＤＴがギャップを隔てて表面波伝搬方向において隣り合う部分において、該ギャップ近傍の複数本の電極指が相対的にピッチが狭い狭ピッチ電極指部とされており、前記不平衡信号端子に接続されている第１，第３のＩＤＴの狭ピッチ電極指部の電極指ピッチをＰ１、第１，第２の平衡信号端子に第１，第２のＩＤＴ部が接続されている第２のＩＤＴの狭ピッチ電極指部の電極指ピッチをＰ２、第１，第３のＩＤＴの狭ピッチ電極指部以外の電極指部の電極指の本数をＫ１、第２のＩＤＴの狭ピッチ電極指部以外の電極指部の電極指の本数をＫ２、第１，第３のＩＤＴの狭ピッチ電極指部の電極指の本数をＫ１ｎ、第２のＩＤＴの狭ピッチ電極指部の電極指の本数をＫ２ｎとしたときに、
Ｐ１＞Ｐ２
Ｋ１ｎ＝Ｋ２ｎ
１．１２≦Ｋ１／Ｋ２≦１．６５
とされていることを特徴とする。
第５，第６の発明に係るバランス型弾性表面波フィルタでは、好ましくは、第１〜第３のＩＤＴのメタライゼーションレシオをｄ、電極指交叉幅をＷとした時に、１３４．８λＩ≦Ｗ／ｄ≦１４８．６λＩ（但し、λＩはＩＤＴの波長）とされている。
【００２２】
本願の第７の発明は、不平衡端子と、第１，第２の平衡端子とに接続される平衡−不平衡変換機能を有するバランス型弾性表面波フィルタであって、圧電基板と、前記圧電基板上において表面波伝搬方向に沿って配置された第１〜第３のＩＤＴを有し、中央の第２のＩＤＴまたは両側の第１，第３のＩＤＴが不平衡端子に接続されており、両側の第１，第３のＩＤＴまたは中央の第２のＩＤＴが第１の平衡端子に接続されている第１の表面波フィルタ部と、前記圧電基板上において表面波伝搬方向に配置された第１〜第３のＩＤＴを有し、中央に配置された第２のＩＤＴまたは両側の第１，第３のＩＤＴが前記不平衡端子に接続されており、両側の第１，第３のＩＤＴまたは中央の第２のＩＤＴが第２の平衡端子に接続されており、第１の弾性表面波フィルタ部とは入力信号に対する出力信号の位相が１８０度異なるように構成されている第２の弾性表面波フィルタ部とを備え、前記第１，第２の弾性表面波フィルタ部において、表面波伝搬方向にギャップを隔てて隣り合っている一対のＩＤＴにおいて、ギャップに面している電極指を含む一部の電極指の周期が、ＩＤＴの主たる部分の電極指の周期よりも小さくされている狭ピッチ電極指部とされており、第１，第２の弾性表面波フィルタ部の前記不平衡端子に接続されているＩＤＴの狭ピッチ電極指部の電極指ピッチをＰ１、該狭ピッチ電極指部の電極指の本数をＮ１、前記第１，第２の平衡端子にそれぞれ接続されているＩＤＴの狭ピッチ電極指部の電極指ピッチをＰ２、該狭ピッチ電極指部の電極指の本数をＮ２としたときに、
Ｐ１＜Ｐ２
Ｎ１＜Ｎ２
とされていることを特徴とする。
【００２３】
第８の発明では、平衡端子と、第１，第２の不平衡端子に接続される平衡−不平衡変換機能を有するバランス型弾性表面波フィルタであって、圧電基板と、前記圧電基板上において表面波伝搬方向に配置された第１〜第３のＩＤＴとを備え、前記第２のＩＤＴが前記不平衡端子に接続されており、両側の第１，第３のＩＤＴが第１，第２の平衡端子にそれぞれ接続されており、前記第１〜第３のＩＤＴが隣り合う部分において、各ＩＤＴは狭ピッチ電極指部を有し、該狭ピッチ電極指部の電極指ピッチは、狭ピッチ電極指が設けられているＩＤＴの主たる電極指部の電極指ピッチよりも小さくされており、第１のＩＤＴの位相が第３のＩＤＴの位相に１８０度反転されており、前記不平衡端子に接続されている第２のＩＤＴの狭ピッチ電極指部の電極指ピッチをＰ１、該狭ピッチ電極指部の電極指の本数をＮ１、前記第１，第２の平衡端子にそれぞれ接続されている前記第１，第３のＩＤＴの狭ピッチ電極指部の電極指ピッチをＰ２、該狭ピッチ電極指部の電極指の本数をＮ２としたときに、
Ｐ１＜Ｐ２
Ｎ１＜Ｎ２
とされていることを特徴とする。
【００２４】
第９の発明は、不平衡端子と、第１，第２の平衡端子とに接続される平衡−不平衡変換機能を有するバランス型弾性表面波フィルタであって、圧電基板と、圧電基板上において表面波伝搬方向に配置された第１〜第３のＩＤＴとを備え、表面波伝搬方向両側に位置する第１，第３のＩＤＴが、前記不平衡端子に接続されており、前記第２のＩＤＴが、表面波伝搬方向に分割された第１，第２のＩＤＴ部を有し、第１，第２のＩＤＴ部がそれぞれ第１，第２の平衡信号端子に電気的に接続されており、不平衡端子から第１の平衡信号端子に流れる信号の位相が、不平衡端子から第２の平衡信号端子に流れる位相と１８０度反転されるように第１〜第３のＩＤＴが構成されており、前記第１〜第３のＩＤＴがギャップを隔てて表面波伝搬方向に隣り合っている部分において、第１〜第３のＩＤＴがギャップに近接する部分に狭ピッチ電極指部を有し、不平衡信号端子に接続されている第１，第３のＩＤＴの狭ピッチ電極指部の電極指ピッチをＰ１、該狭ピッチ電極指部の電極指の本数をＮ１、前記第１，第２の平衡信号端子にそれぞれ第１，第２のＩＤＴ部が接続されている第２のＩＤＴの狭ピッチ電極指部の電極指ピッチをＰ２、該狭ピッチ電極指部の電極指の本数をＮ２としたときに、
Ｐ１＜Ｐ２
Ｎ１＜Ｎ２
とされていることを特徴とする。
【００２６】
第１，第２の発明に係るバランス型弾性表面波フィルタでは、中央の第２のＩＤＴまたは両側の第１，第３のＩＤＴが不平衡端子に接続された第１，第２の弾性表面波フィルタ部が設けられており、第１の弾性表面波フィルタ部の第１，第３のＩＤＴまたは第２のＩＤＴが第１の平衡端子に、第２の弾性表面波フィルタ部の第１，第３のＩＤＴまたは第２のＩＤＴが第２の平衡端子に接続されており、第１の弾性表面波フィルタ部と第２の弾性表面波フィルタ部の出力信号の位相が１８０度異なるように構成されている。従って、平衡−不平衡変換機能を有するバランス型弾性表面波フィルタが構成されている。
【００２７】
そして、第１，第２の弾性表面波フィルタ部において、ギャップを隔てて隣り合っている一対のＩＤＴは、ギャップに面している電極指を含む一部の電極指の周期が、ＩＤＴの主たる部分の電極指の周期よりも小さくされている狭ピッチ電極指部を有する。また、Ｐ１＞Ｐ２及び１．１２≦Ｋ１／Ｋ２≦１．６５とされているため、通過帯域内における挿入損失及びＶＳＷＲが小さく、十分な帯域幅を有する良好なフィルタ特性を得ることができるだけでなく、不平衡信号端子と平衡信号端子のインピーダンス比を確実に１：２とすることが可能な弾性表面波フィルタを得ることができる。特に、ＩＤＴの電極指の本数だけでなく、狭ピッチ電極指部のピッチ比をも調整することにより、インピーダンス比を変化することができるので、不平衡信号端子と平衡信号端子とのインピーダンス比を正確に１：２とすることが可能となる。
【００２８】
特に、第２の発明では、Ｋ１ｎ＝Ｋ２ｎとされているため、狭ピッチ電極指部の設計が容易であり、かつＩＤＴが隣り合っている部分の不連続性を緩和する効果をより一層高めることができる。
【００２９】
第１，第２の発明において、６７．４λＩ≦Ｗ／ｄ≦７４．３λＩとされている場合には、不平衡端子側のインピーダンスを５０Ωとし、平衡信号端子側のインピーダンスを確実に１００Ωとすることができ、入力インピーダンスが１００ΩのＩＣに接続されるバランス型弾性表面波フィルタを容易に提供することができる。
【００３０】
第３，４の発明に係るバランス型弾性表面波フィルタでは、不平衡端子に第２のＩＤＴが接続されており、両側の第１，第３のＩＤＴが第１，第２の平衡端子にそれぞれ接続されており、第１のＩＤＴの位相が第３のＩＤＴの位相に対して１８０度反転されているため、第１の発明と同様に、平衡−不平衡変換機能を有するバランス型弾性表面波フィルタが構成されている。そして、第１〜第３のＩＤＴは、狭ピッチ電極指部を有し、Ｐ１＞Ｐ２及び１．１２≦Ｋ１／Ｋ２≦１．６５とされているため、通過帯域内における挿入損失及びＶＳＷＲが小さく、十分な帯域幅を有する良好なフィルタ特性を得ることができるだけでなく、不平衡信号端子と平衡信号端子のインピーダンス比を確実に１：２とすることが可能な弾性表面波フィルタを得ることができる。特に、ＩＤＴの電極指の本数だけでなく、狭ピッチ電極指部のピッチ比をも調整することにより、インピーダンス比を変化することができるので、不平衡信号端子と平衡信号端子のインピーダンス比を正確に１：２とすることが可能となる。
【００３１】
特に、第４の発明では、Ｋ１ｎ＝Ｋ２ｎとされているので、狭ピッチ電極指部を有するＩＤＴの設計が容易となり、かつ狭ピッチ電極指部を設けたことによる、隣り合うＩＤＴが隣り合っている部分の不連続性を緩和する効果を高めることができる。
【００３２】
第３，第４の発明において、１３４．８λＩ≦Ｗ／ｄ≦１４８．６λＩとされている場合には、不平衡端子側のインピーダンスを５０Ωとし、平衡信号端子側のインピーダンスを確実に１００Ωとすることができ、入力インピーダンスが１００ΩのＩＣに接続されるバランス型弾性表面波フィルタを容易に提供することができる。
【００３３】
第５，第６の発明では、圧電基板上において、第１〜第３のＩＤＴが表面波伝搬方向に配置されており、第１，第３のＩＤＴが不平衡端子に接続されており、第２のＩＤＴが、表面波伝搬方向に分割された第１，第２のＩＤＴ部を有し、第１，第２のＩＤＴ部がそれぞれ第１，第２の平衡信号端子に接続されており、不平衡端子から第１の平衡端子に流れる信号の位相が、不平衡端子から第２の平衡信号端子に流れる位相と１８０度反転されているため、第１，第２の発明と同様に、平衡−不平衡変換機能を有するバランス型弾性表面波フィルタが構成されている。
【００３４】
そして、第３の発明においても、第１〜第３のＩＤＴが狭ピッチ電極指部を有し、Ｐ１＞Ｐ２及び１．１２≦Ｋ１／Ｋ２≦１．６５とされているため、通過帯域内における挿入損失及びＶＳＷＲが小さく、十分な帯域幅を有する十分なフィルタ特性を得ることができるだけでなく、不平衡信号端子と平衡信号端子のインピーダンス比を１：２とすることが可能な弾性表面波フィルタを得ることができる。特に、ＩＤＴの電極指の本数だけでなく、狭ピッチ電極指部のピッチ比をも調整することにより、インピーダンス比を変化することができるので、不平衡信号端子と平衡信号端子のインピーダンス比を正確に１：２とすることができる。
【００３５】
特に、第６の発明では、Ｋ１ｎ＝Ｋ２ｎとされているので、狭ピッチ電極指部を有するＩＤＴの設計が容易となり、かつ狭ピッチ電極指部Ｎを設けたことによる効果、すなわちＩＤＴが隣り合っている部分の不連続性を緩和する効果をより一層高めることができる。
【００３６】
第５，６の発明において１３４．８λＩ≦Ｗ／ｄ≦１４８．６λＩとされている場合には、不平衡端子側のインピーダンスを５０Ωとし、平衡信号端子側のインピーダンスを確実に１００Ωとすることができ、入力インピーダンスが１００ΩのＩＣに接続されるバランス型弾性表面波フィルタを容易に提供することができる。
【００３７】
第７の発明では、圧電基板上に第１〜第３のＩＤＴを有する第１，第２の表面波フィルタ部が設けられており、第１，第２の表面波フィルタ部の中央の第２のＩＤＴまたは両側の第１，第３のＩＤＴが不平衡信号端子に接続されており、第１の表面波フィルタ部の第１，第３のＩＤＴまたは第２のＩＤＴが第１の平衡信号端子に、第２の弾性表面波フィルタ部の第１，第３のＩＤＴまたは第２のＩＤＴが第２の平衡信号端子に接続されており、表面波伝搬方向に隣り合っている一対のＩＤＴが、ギャップに面している電極指を含む一部の電極指の周期が、ＩＤＴの主たる部分の電極指の周期よりも小さくされている狭ピッチ電極指部を有する、平衡−不平衡変換機能を有するバランス型弾性表面波フィルタにおいて、Ｐ１＜Ｐ２かつＮ１＜Ｎ２とされているため、各共振モードのインピーダンス調整の自由度を高めることができる。従って、フィルタ特性を損なうことなく、不平衡信号端子−平衡信号端子のインピーダンス比を１：２と設定することが容易となる。
【００３８】
よって、通過帯域内における挿入損失及びＶＳＷＲが小さく、十分な帯域幅を有する十分なフィルタ特性を得ることができるだけでなく、不平衡信号端子と平衡信号端子のインピーダンス比を１：２とすることが可能な弾性表面波フィルタを得ることができる。
【００３９】
特に、ＩＤＴの電極指の本数だけでなく、狭ピッチ電極指部のピッチ比をも調整することにより、インピーダンス比を変化することができるので、不平衡信号端子と平衡信号端子のインピーダンス比を正確に１：２とすることが可能となる。
【００４０】
第８の発明では、圧電基板上に第１〜第３のＩＤＴが配置されており、第２のＩＤＴが不平衡信号端子に接続されており、両側の第１，第３のＩＤＴが第１，第２の平衡信号端子に接続されており、第１〜第３のＩＤＴが狭ピッチ電極指部を有する平衡−不平衡変換機能を有するバランス型弾性表面波フィルタにおいて、Ｐ１＜Ｐ２かつＮ１＜Ｎ２とされているため、通過帯域内における挿入損失及びＶＳＷＲが小さく、十分な帯域幅を有する十分なフィルタ特性を得ることができるだけでなく、不平衡信号端子と平衡信号端子のインピーダンス比を１：２とすることが可能な弾性表面波フィルタを得ることができる。
【００４１】
特に、ＩＤＴの電極指の本数だけでなく、狭ピッチ電極指部のピッチ比をも調整することにより、インピーダンス比を変化することができるので、不平衡信号端子と平衡信号端子のインピーダンス比を正確に１：２とすることが可能となる。
【００４２】
第９の発明では、圧電基板上に第１〜第３のＩＤＴが表面波伝搬方向に配置されており、第１，第３のＩＤＴが不平衡信号端子に接続されており、第２のＩＤＴが、第１，第２のＩＤＴ部に分割されており、第１，第２のＩＤＴ部がそれぞれ第１，第２の平衡信号端子に接続されており、第１〜第３のＩＤＴが狭ピッチ電極指部を有する平衡−不平衡変換機能を有するバランス型弾性表面波フィルタにおいて、Ｐ１＜Ｐ２かつＮ１＜Ｎ２とされているため、通過帯域内における挿入損失及びＶＳＷＲが小さく、十分な帯域幅を有する十分なフィルタ特性を得ることができるだけでなく、不平衡信号端子と平衡信号端子のインピーダンス比を１：２とすることが可能な弾性表面波フィルタを得ることができる。
【００４３】
特に、ＩＤＴの電極指の本数だけでなく、狭ピッチ電極指部のピッチ比をも調整することにより、インピーダンス比を変化することができるので、不平衡信号端子と平衡信号端子のインピーダンス比を正確に１：２とすることが可能となる。
【図面の簡単な説明】
【００４５】
【図１】図１は、本発明の第１の実施形態に係るバランス型弾性表面波フィルタの電極構造を示す模式的平面図である。
【図２】図２は、第１の実施形態の弾性表面波フィルタの減衰量−周波数特性を示す図である。
【図３】図３は、第１の実施形態の弾性表面波フィルタのＶＳＷＲ特性を示す図である。
【図４】図４は、（ａ）及び（ｂ）は、第１の実施形態の弾性表面波フィルタのＳ１及びＳ２の各反射特性を示すスミスチャートである。
【図５】図５は、比較のために用意した狭ピッチ電極指部の電極指ピッチが全て等しくされている弾性表面波フィルタの減衰量−周波数特性を示す図である。
【図６】図６は、比較のために用意した狭ピッチ電極指部の電極指ピッチが全て等しくされている弾性表面波フィルタのＶＳＷＲ−周波数特性を示す図である。
【図７】図７は、（ａ）及び（ｂ）は、狭ピッチ電極指部の電極指の本数を全て等しくした比較のために用意した弾性表面波フィルタのＳ１１及びＳ２２の反射特性を示すスミスチャートである。
【図８】図８は、（ａ）及び（ｂ）は、不平衡信号端子のインピーダンスを５０Ω及び平衡信号端子のインピーダンスを１５０Ωとして設計された弾性表面波フィルタのＳ１１及びＳ２２の反射特性を示すスミスチャートである。
【図９】図９は、（ａ）及び（ｂ）は、不平衡信号端子のインピーダンスを５０Ω、平衡信号端子のインピーダンスを１００Ωとした場合のＳ１１及びＳ２２の反射特性を示すスミスチャートである。
【図１０】図１０は、（ａ）及び（ｂ）は、弾性表面波フィルタの電極指交叉幅を５１．０λＩに変更した弾性表面波フィルタのＳ１１及びＳ２２側の反射特性を示す各スミスチャートである。
【図１１】図１１は、（ａ）及び（ｂ）は、Ｓ１１側のインピーダンスを高く、Ｓ２２側のインピーダンスを低くするために、ＩＤＴの電極指を変更した場合のＳ１１及びＳ２２側の各反射特性を示すスミスチャートである。
【図１２】図１２は、（ａ）及び（ｂ）は、ＩＤＴの狭ピッチ電極指部の電極指ピッチを０．４４４λＩから０．４３８λＩに変化した場合のＳ１１側及びＳ２２側の反射特性を示すスミスチャートである。
【図１３】図１３は、（ａ）及び（ｂ）は、中央の第２のＩＤＴの狭ピッチ電極指部の電極指ピッチを０．４４４λＩから０．４５４λＩに変更した場合のＳ１１及びＳ２２側の反射特性を示す各スミスチャートである。
【図１４】図１４は、バランス型弾性表面波フィルタにおいて現れる３つの共振モードを説明するための図である。
【図１５】図１５は、図１４に示した各共振モードの有効電流分布を説明するための図であり、（ａ）はＩＤＴの概略構成図、（ｂ）はＩＤＴの配置に対応した各共振モードを示す図である。
【図１６】図１６は、電極指交叉幅及びＩＤＴの電極指部分の電極指の本数を変化させた場合のＶＳＷＲの変化を示す図である。
【図１７】図１７は、第２の実施形態の弾性表面波フィルタの減衰量−周波数特性を示す図である。
【図１８】図１８は、第２の実施形態の弾性表面波フィルタのＶＳＷＲ特性を示す図である。
【図１９】図１９は、（ａ）及び（ｂ）は、第２の実施形態の弾性表面波フィルタにおけるＳ１１側及びＳ２２側における反射特性を示すスミスチャートである。
【図２０】図２０は、（ａ）及び（ｂ）は、第２の実施形態の弾性表面波フィルタにおいて、平衡信号端子に接続されている狭ピッチ電極指部の電極指の本数を３本から５本に増加させた場合のＳ１１側及びＳ２２側における反射特性を示すスミスチャートである。
【図２１】図２１は、本発明の第の３実施形態に係る弾性表面波フィルタを示す模式的平面図である。
【図２２】図２２は、本発明の第４の実施形態に係る弾性表面波フィルタを示す模式的平面図である。
【図２３】図２３は、本発明の第５の実施形態に係る弾性表面波フィルタを示す模式的平面図である。
【図２４】図２４は、本発明の第６の実施形態に係る弾性表面波フィルタを示す模式的平面図である。
【図２５】図２５は、本発明の第７の実施形態に係る弾性表面波フィルタを示す模式的平面図である。
【図２６】図２６は、従来のバランス型弾性表面波フィルタの一例を示す模式的平面図である。
【図２７】図２７は、従来のバランス型弾性表面波フィルタの他の例を説明するための模式的平面図である。
【符号の説明】
【００４６】
１…バランス型弾性表面波フィルタ
２…圧電基板
３…不平衡入力端子
４…第１の縦結合共振子型弾性表面波フィルタ部
４ａ〜４ｃ…第１〜第３のＩＤＴ
４ｄ，４ｅ…反射器
５…第２の縦結合共振子型弾性表面波フィルタ部
５ａ〜５ｃ…第１〜第３のＩＤＴ
５ｄ，５ｅ…反射器
６…１ポート型弾性表面波共振子
７…第１の平衡出力端子
８…１ポート型弾性表面波共振子
９…第２の平衡出力端子
３１…バランス型弾性表面波フィルタ
３２…圧電基板
３３…不平衡入力端子
３４，３５…弾性表面波フィルタ部
３４ａ〜３４ｅ…ＩＤＴ
３４ｃ１，３４ｃ２…ＩＤＴ分割部
３４ｆ，３４ｇ…反射器
３７，３９…平衡出力端子
４１…弾性表面波フィルタ
４２ａ〜４２ｅ…ＩＤＴ
４３…不平衡入力端子
４７，４９…平衡出力端子
５０，５１…弾性表面波フィルタ
５２ａ〜５２ｅ…ＩＤＴ
５２ｆ，５２ｇ…反射器
５３…不平衡入力端子
５７，５９…平衡出力端子
７０…弾性表面波フィルタ
Ｎ…狭ピッチ電極指部
【発明を実施するための最良の形態】
【００４７】
以下、図面を参照しつつ、本発明の具体的な実施形態を説明することにより、本発明を明らかにする。【００４８】
図１は、本発明の第１の実施形態に係るバランス型弾性表面波フィルタの電極構造を示す模式的平面図である。【００４９】
バランス型弾性表面波フィルタ１では、圧電基板２上に、図示の電極構造が形成されている。【００５０】
バランス型弾性表面波フィルタ１では、不平衡入力端子３に、第１，第２の縦結合共振子型弾性表面波フィルタ部４，５が接続されている。【００５１】
第１の縦結合共振子型弾性表面波フィルタ部４は、表面波伝搬方向に沿って配置された３個のＩＤＴ４ａ〜４ｃと、ＩＤＴ４ａ〜４ｃが配置されている領域の表面波伝搬方向両側に配置された反射器４ｄ，４ｅとを有する。第１〜第３のＩＤＴ４ａ〜４ｃは、狭ピッチ電極指部Ｎを有する。すなわち、ＩＤＴ４ａ，４ｂを例にとると、ＩＤＴ４ａ，４ｂは、ギャップを隔てて隣り合っている。ＩＤＴ４ａ，４ｂでは、該ギャップに面している電極指を含む複数本の電極指のピッチが、当該ＩＤＴ４ａ，４ｂの残りの主体となる電極指部分に比べて電極指ピッチが狭くされている。この電極指ピッチが相対的に狭い電極指部が狭ピッチ電極指部Ｎである。【００５２】
ＩＤＴ４ｂ，４ｃが隣り合っている部分においても、ＩＤＴ４ｂ，４ｃは、それぞれ、狭ピッチ電極指部Ｎを有する。狭ピッチ電極指部Ｎを設けることにより、ギャップを隔てて一対のＩＤＴが隣り合う部分の不連続性が緩和され、かつＩＤＴ間のギャップを調整することにより、帯域幅の広いバンドパスフィルタを得ることが可能となる。このような狭ピッチ電極指部を設けたことによる効果は、例えば前述した特許文献４に記載のように従来より知られている。【００５３】
第２の縦結合共振子型弾性表面波フィルタ部５も、同様に第１〜第３のＩＤＴ５ａ〜５ｃ及び反射器５ｄ，５ｅを有する。そして、ＩＤＴ５ａ〜５ｃもまた、狭ピッチ電極指部Ｎを有する。
【００５４】
不平衡入力端子３には、弾性表面波フィルタ部４，５の中央に位置している第２のＩＤＴ４ｂ，５ｂが電気的に接続されている。ＩＤＴ４ｂ，５ｂの他端はアース電位に接続されている。【００５５】
弾性表面波フィルタ部４において、第２のＩＤＴ４ｂの両側に位置している第１，第３のＩＤＴ４ａ，４ｃは、１ポート型弾性表面波共振子６を介して第１の平衡出力端子７に電気的に接続されている。【００５６】
同様に、弾性表面波フィルタ部５においては、中央の第２のＩＤＴ５ｂが不平衡入力端子３に接続されている。ＩＤＴ５ｂの両側に位値する第１，第３のＩＤＴ５ａ，５ｃが、１ポート型弾性表面波共振子８を介して第２の平衡出力端子９に電気的に接続されている。第１の縦結合共振子型弾性表面波フィルタ部４と、第２の縦結合共振子型弾性表面波フィルタ部５とは、入力信号に対する出力信号の位相が約１８０度異なっていることを除いては、全て同様とされている。【００５７】
上記のように、ＩＤＴ５ａ，５ｃは、第１の弾性表面波フィルタ部４におけるＩＤＴ４ａ，４ｃと位相は１８０度反転されている。従って、第１の平衡出力端子７から取出される信号と、第２の平衡出力端子９から取出される信号の位相が１８０度反転されている。よって、本実施形態では、不平衡入力端子３と、第１，第２の平衡出力端子７，９とを有するバランス型弾性表面波フィルタ１が構成されている。
【００５８】
１ポート型弾性表面波共振子６，８は同じ電極構造を有するように構成されている。【００５９】
上記１ポート型弾性表面波共振子６，８が接続されているのは、通過帯域近傍の減衰量の拡大及びフィルタ特性の急峻性を高めることができるからである。また、１ポート型弾性表面波共振子６，８の接続により、通過帯域内における後述の複数の共振モードのインピーダンスを調整することも可能となる。もっとも、表面波共振子６，８は用いられずともよい。
【００６０】
なお、１ポート型弾性表面波共振子６，８は、反射器を有しない構造であってもよい。【００６１】
第１，第２の弾性表面波フィルタ部４，５の各第２のＩＤＴ４ｂ，５ｂの狭ピッチ電極指部Ｎの電極指ピッチをＰ１、第１，第３のＩＤＴ４ａ，４ｃ，５ａ，５ｃの狭ピッチ電極指部Ｎの電極指ピッチをＰ２とする。また、各第２のＩＤＴ４ｂ，５ｂの狭ピッチ電極指部Ｎ以外の電極指部の電極指の本数をＫ１、第１，第３のＩＤＴの狭ピッチ電極指部Ｎ以外の電極指部の電極指の本数をＫ２とする。さらに、第１，第２の弾性表面波フィルタ部４，５の第２のＩＤＴ４ｂ，５ｂの狭ピッチ電極指部Ｎの電極指の本数をＫ１ｎ、第１，第３のＩＤＴ４ａ，４ｃ，５ａ，５ｃの狭ピッチ電極指部Ｎの電極指の本数をＫ２ｎとする。本実施形態の特徴は、Ｐ１＞Ｐ２、Ｋ１ｎ＝Ｋ２ｎ及び１．１２≦Ｋ１／Ｋ２≦１．６５とされていることにある。それによって、フィルタ特性にあまり影響与えることなく、不平衡入力端子３と平衡出力端子７，９とのインピーダンス比を容易に変化させることができる。特に、ＩＤＴの電極指の本数だけでなく、狭ピッチ電極指部Ｎのピッチ比をも調整することにより、インピーダンス比を変化することができるので、不平衡信号端子と平衡信号端子のインピーダンス比を正確に例えば１：２とすることが可能となる。
【００６２】
特に、第１，第２の弾性表面波フィルタ部４，５におけるメタライゼーションレシオをｄ、電極指交叉幅をＷとしたとき、６７．４λＩ≦Ｗ／ｄ≦７４．３λＩ（但し、λＩはＩＤＴの波長）とされている場合には、不平衡入力端子３側のインピーダンスを５０Ωとして、平衡出力端子７，９側のインピーダンスを１００Ωに確実に設定することが容易となる。これを、具体的な実験例を参照しつつ、より詳細に説明する。【００６３】
なお、本明細書の添付の図面の電極構造では、図示を容易とするために、ＩＤＴや反射器の電極指の本数は、実際の電極指の本数よりも少なく図示されていることを指摘しておく。【００６４】
以下の仕様で弾性表面波フィルタ１を作製した。【００６５】
縦結合共振子型弾性表面波フィルタ部４の電極指交叉幅を５１．０λＩとした。λＩは、ＩＤＴの狭ピッチ電極指部Ｎ以外の電極指ピッチであり、ＩＤＴ４ａ〜４ｃにおいて、電極指交叉幅は全て等しくした。
【００６６】
ＩＤＴ４ａの電極指の本数は２２本（３本）であり、ＩＤＴ４ｂの電極指の本数は（３本）３１本（３本）であり、ＩＤＴ４ｃの電極指の本数は（３本）２２本とした。なお、カッコ内の電極指の本数は、１つの狭ピッチ電極指部Ｎの電極指の本数であり、カッコ外の電極指の本数は、狭ピッチ電極指部Ｎ以外の電極指の本数である。【００６７】
反射器４ｄ，４ｅのそれぞれの電極指の本数：８５本。【００６８】
ＩＤＴ４ａ〜４ｃ及び反射器４ｄ，４ｅにおけるメタライゼーションレシオ：狭ピッチ電極指部Ｎ以外は０．７２、狭ピッチ電極指部Ｎでは０．６８とした。
【００６９】
電極膜厚＝０．０９２λＩ。【００７０】
なお、弾性表面波フィルタ部５は、ＩＤＴ５ａ，５ｃの向きがＩＤＴ４ａ，４ｃと反転されていることを除いては、上記と同様に設計した。【００７１】
１ポート型弾性表面波共振子６の仕様
電極指交叉幅：２３．８λＩ（但し、λＩは、ＩＤＴ６ａの電極指ピッチで定まる波長とする）。【００７２】
ＩＤＴ６ａの電極指の本数：１６１本。
反射器６ｂ，６ｃのそれぞれの電極指の本数：１５本。
【００７３】
メタライゼーションレシオ：０．６０。
電極膜厚：０．０９５λＩ。
なお、圧電基板２としては、４０±５度ＹカットＸ伝搬のＬｉＴａＯ3基板を用い、上記各電極はＡｌにより形成した。このようにして、不平衡入力端子３の入力インピーダンスが５０Ω、平衡出力端子７，９のインピーダンスが１００Ωである、ＤＣＳ受信用フィルタを設計した。【００７４】
上記のようにして設計した弾性表面波フィルタ１の特性を図２〜図４に示す。図２は、上記弾性表面波フィルタ１の減衰量周波数特性を示す。また、図３は、上記弾性表面波フィルタ１のＶＳＷＲ特性を示す。図４（ａ）及び（ｂ）は、不平衡信号端子側における反射特性Ｓ１１及び平衡信号端子側における反射特性Ｓ２２を示すスミスチャートである。なお、本明細書に添付の図面においては、以下、弾性表面波フィルタの不平衡信号端子側の反射特性をＳ１１、平衡信号端子側の反射特性をＳ２２とする。【００７５】
本実施形態の特徴の１つは、不平衡入力端子３に接続されているＩＤＴ４ｂ，５ｂの狭ピッチ電極指部Ｎの電極指ピッチＰ１と、平衡出力端子７，９に接続されているＩＤＴ４ａ，４ｃ，５ａ，５ｃの狭ピッチ電極指部Ｎの電極指ピッチＰ２とが異なっていることにある。すなわち、ＩＤＴ４ａ〜４ｃ，５ａ〜５ｃの狭ピッチ電極指部Ｎ以外の主たる電極指部の電極指ピッチで定まる波長をλＩとしたときに、第２のＩＤＴ４ｂ，５ｂの狭ピッチ電極指部Ｎの電極指ピッチＰ１は０．４５４λＩとされており、第１，第３のＩＤＴ４ａ，４ｃ，５ａ，５ｃの狭ピッチ電極指部ＮのピッチＰ２は、０．４３８λＩとされている。従って、平衡出力端子７，９に接続されているＩＤＴ４ａ，４ｃ，５ａ，５ｃにおける狭ピッチ電極指部Ｎの電極指ピッチＰ２よりも、不平衡入力端子３に接続されているＩＤＴ４ｂ，５ｂの狭ピッチ電極指部Ｎの電極指ピッチＰ１が大きくされている。
【００７６】
比較のために、狭ピッチ電極指部Ｎの電極指ピッチを全て０．４４７λＩと等しくしたことを除いては、上記実施形態のバランス型弾性表面波フィルタ１と同様に構成されたバランス型弾性表面波フィルタのフィルタ特性を図５〜図７に示す。図５は、比較のために用意した上記弾性表面波フィルタの減衰量周波数特性を示し、図６は、ＶＳＷＲ特性を示す。図７（ａ）及び（ｂ）は、反射特性Ｓ１１，Ｓ２２をそれぞれ示す。【００７７】
なお、ＤＣＳ受信用フィルタの通過帯域は１８０５〜１８８０ＭＨｚである。図２及び図３と、図５，図６とを比較すれば明らかなように、比較のために用意した弾性表面波フィルタでは、上記通過帯域内における最大挿入損失が２．１６ｄＢであり、ＶＳＷＲの最大値が２．００であったのに対し、上記実施形態の弾性表面波フィルタ１では、通過帯域内における最大挿入損失は２．１３ｄＢと小さくなり、通過帯域内におけるＶＳＷＲの最大値も１．８３と小さくなることがわかる。従って、本実施形態によれば、通過帯域内における最大挿入損失を約０．１５ｄＢに改善することができ、ＶＳＷＲについても約０．２０改善し得ることがわかる。【００７８】
本実施形態において、上記のように通過帯域内における挿入損失及びＶＳＷＲを改善し得る理由を、図８〜図１３を参照して説明する。まず、図１に示した電極構造において、不平衡入力端子３のインピーダンスを５０Ω、平衡出力端子７，９のインピーダンスを１５０Ωとなるように弾性表面波フィルタを設計した場合の反射特性Ｓ１１及びＳ２２を図８（ａ）及び（ｂ）に示す。このときの設計パラメータは以下の通りである。
弾性表面波フィルタ部の電極指交叉幅＝４１．７λＩ。
ＩＤＴ４ａの電極指の本数：２０本（３本）、ＩＤＴ４ｂの電極指の本数：（３本）３３本（３本）、ＩＤＴ４ｃの電極指の本数（３本）２０本。【００７９】
反射器の電極指の本数：８５本。
メタライゼーションレシオ：０．７２（狭ピッチ電極指部Ｎのメタライゼーションレシオは０．６８）。
電極膜厚：０．０９２λＩ。
狭ピッチ電極指部Ｎの電極指ピッチ：０．４４４λＩ。
図９（ａ）及び（ｂ）は、上記のようにして設計された弾性表面波フィルタの反射特性を、不平衡入力端子３のインピーダンスを５０Ω、平衡出力端子７，９のインピーダンスを１００Ωとして見た場合の反射特性Ｓ１１，Ｓ２２を示す。図９から明らかなように、Ｓ２２側のインピーダンスは、整合点である１００Ωから大きくずれることとなる。
【００８０】
次に、Ｓ２２側のインピーダンスを１００Ωとするために、第１，第２の縦結合共振子型弾性表面波フィルタ部４，５の電極指交叉幅を４１．７λＩから５１．０λＩに変更した場合の特性を図１０（ａ）及び（ｂ）に示す。このとき、Ｓ２２側のインピーダンスを約１００Ωとなる。しかしながら、Ｓ１１側のインピーダンスは整合点である５０Ωから大きくずれることとなる。
【００８１】
次に、Ｓ１１側のインピーダンスを高くし、かつＳ２２側のインピーダンスを低くするために、ＩＤＴ４ｂ，５ｂの電極指の本数を少なくし、ＩＤＴ４ａ，４ｃ，５ａ，５ｃの電極指の本数を多くした。すなわち、２０（３）／（３）３３（３）／（３）２０の構成から２２（３）／（３）３１（３）／（３）２２と変更した。このようにして変更された弾性表面波フィルタの反射特性を図１１（ａ）及び（ｂ）に示す。図１１から明らかなように、この場合には、縦結合共振子型弾性表面波フィルタの通過帯域を形成している３つの共振Ａ〜Ｃのうち、共振ＡのインピーダンスはＳ１１側で所望の通り高くなっており、Ｓ２２側で低くなっている。しかしながら、共振Ｂ及び共振Ｃのインピーダンスはほとんど変化していないことがわかる。【００８２】
なお、上記共振Ａ〜Ｃとは、図１４及び図１５に示すように、縦結合共振子型弾性表面波フィルタ部の通過帯域を構成する３つの共振Ａ〜Ｃをいうものとする。ここでは、周波数の低い順から共振Ａ、共振Ｂ及び共振Ｃが現われ、図１５から明らかなように、共振Ａは２次モードの共振であり、共振Ｂは０次モードの共振である。【００８３】
次に、図１１（ａ）及び（ｂ）に示した反射特性Ｓ１１，Ｓ２２を得た構成から、ＩＤＴ４ａ，４ｃ，５ａ，５ｃの狭ピッチ電極指部Ｎの電極指ピッチを０．４３８λＩに変更した場合の特性を図１２（ａ）及び（ｂ）に示す。すなわち、狭ピッチ電極指部Ｎの電極指ピッチを０．４４４λＩだから０．４３８λＩに変更した。その結果、図１２（ａ）から明らかなように、Ｓ１１側の共振Ａ〜Ｃの集中度、すなわちインピーダンスの集中度が向上していることがわかる。しかしながら、同時に、Ｓ１１側における共振Ｂのインピーダンスが容量性となりすぎ、さらにＳ２２側の共振Ｃが誘導性になりすぎていることがわかる。
【００８４】
次に、図１１に示した特性を得た構成から、ＩＤＴ４ｂ，５ｂの狭ピッチ電極指部Ｎの電極指ピッチを、０．４５４λＩに変更した場合の特性を図１３（ａ）及び（ｂ）に示す。すなわち、狭ピッチ電極指部Ｎの電極指ピッチを０．４４４λＩから０．４５４λＩに変更した場合の特性を図１３（ａ）及び（ｂ）に示す。この場合には、ＩＤＴ４ａ，４ｃ，５ａ、５ｃの狭ピッチ電極指部Ｎの電極指ピッチを小さくした場合とは逆に、Ｓ１１側のインピーダンス集中度は悪化するものの、Ｓ１１側における共振Ｂのインピーダンスが誘導性になり、Ｓ２２側の共振Ｃが容量性となるように変化しているすなわち、平衡出力端子７，９に接続されているＩＤＴ４ａ，４ｃ，５ａ，５ｃの狭ピッチ電極指部Ｎの電極指ピッチＰ２を小さくすると、ＩＤＴ４ｂ，５ｂの狭ピッチ電極指部Ｎの電極指ピッチＰ１を大きくすることにより、それぞれのデメリットをカバーし得ることがわかる。従って、このような構成を有するため、上記実施形態のバランス型弾性表面波フィルタ１では、図４（ａ）及び（ｂ）に示されているように、平衡入力端子３のインピーダンスと平衡出力端子７，９のインピーダンス比を調整しつつ、フィルタ特性の悪化を抑制し得ることがわかる。
【００８５】
次に、Ｐ１＞Ｐ２となるように構成した弾性表面波フィルタ１において、不平衡入力端子３と、平衡出力端子７，９のインピーダンス比が約１：２とされている場合に、良好な電気的特性が得られるＩＤＴの電極指の対数及び交叉幅を調べた。結果を図１６に示す。【００８６】
すなわち、狭ピッチ電極指部Ｎの電極指を除いたＩＤＴの電極指の本数、例えば上記実施形態のＩＤＴ４ａ〜４ｃでは、２２／３１／２２である。この狭ピッチ電極指部Ｎの電極指を除いたＩＤＴ４ａ〜４ｃの電極指の本数を変化させ、さらに電極指交叉幅を変化させ、種々の弾性表面波フィルタ１を作製し、ＶＳＷＲを測定した。なお、ＩＤＴ５ａ〜５ｃは、ＩＤＴ４ａ〜４ｃと同様とされている。
【００８７】
図１６から明らかなように、従来のバランス型弾性表面波フィルタにおけるＶＳＷＲの値２．０よりもＶＳＷＲが小さくなり、改善される範囲は、以下の範囲であることがわかる。なお、以下において、Ｋ１は、中央の第２のＩＤＴ４ｂ，５ｂにおいて狭ピッチ電極指部Ｎの電極指を除いた残りの電極指部の電極指の本数であり、Ｋ２は、第１，第３のＩＤＴ４ａ，４ｃ，５ａ，５ｃにおいて、狭ピッチ電極指部Ｎの電極指を除いた残りの電極指部の電極指の本数である。【００８８】
ＩＤＴ本数          Ｋ１／Ｋ２    交叉幅Ｗ範囲
２６／２９／２６    １．１２    ４６．０〜５４．０λＩ
２４／２９／２４    １．２１    ４６．５〜５４．５λＩ
２２／３１／２２    １．４１    ４８．５〜５４．５λＩ
２０／３３／２０    １．６５    ４８．５〜５３．５λＩ
すなわち、Ｐ１＞Ｐ２かつ１．１２≦Ｋ１／Ｋ２≦１．６５、さらに電極指交叉幅を４８．５λＩ≦Ｗ≦５３．５λＩとすれば、良好なフィルタ特性の得られることがわかる。【００８９】
もっとも、公知のように、メタライゼーションレシオを変化させた場合、容量が変化するため、電極指交叉幅の最適値が変化することが知られている。従って電極指交叉幅Ｗの値は、狭ピッチ電極指部Ｎ以外の電極指のメタライゼーションレシオｄとした場合、６７．４λＩ≦Ｗ／ｄ≦７４．３λＩとすることが望ましい。このようにして不平衡入力端子３のインピーダンスを５０Ωとし、平衡出力端子７，９のインピーダンスを確実に１００Ωとすることができ、入力インピーダンスが１００ΩのＩＣに接続される、良好なフィルタ特性を有するバランス型弾性表面波フィルタ１を容易に提供することが可能となる。【００９０】
特に、上記実施形態では、電極指の対数すなわち電極指の本数だけでなく、狭ピッチ電極指部Ｎの電極指ピッチＰ１，Ｐ２を変更するため、不平衡入力端子３のインピーダンスと、平衡出力端子７，９のインピーダンスとの比を正確に１：２に設定することができる。
【００９１】
なお、本実施形態では、Ｋ１ｎ＝Ｋ２ｎとされていたが、不平衡入力端子３に接続されている第２のＩＤＴ４ｂ，５ｂの狭ピッチ電極指部Ｎの電極指の本数Ｋ１ｎは、平衡出力端子７，９に接続されている第１，第３のＩＤＴ４ａ，４ｃ，５ａ，５ｃの狭ピッチ電極指部Ｎの電極指の本数Ｋ２ｎと等しい必要は必ずしもない。もっとも、上記のようにＫ１ｎ＝Ｋ２ｎとすることにより、ＩＤＴの設計が容易となり、かつＩＤＴが隣り合っている部分の不連続性を緩和する狭ピッチ電極指部の効果をより一層高めることができ、好ましい。
【００９２】
（第２の実施形態）
第１の実施形態のバランス型弾性表面波フィルタ１と同様の電極構造を有するバランス型弾性表面波フィルタを作製した。なお、電極構造は第１の実施形態と同様であるため、以下においては、第２の実施形態の弾性表面波フィルタの各部分の参照番号は、第１の弾性表面波フィルタ１の場合と同様とし、図１を援用することとする。【００９３】
第２の実施形態の弾性表面波フィルタの構成が、第１の実施形態の弾性表面波フィルタと異なるところは以下の３点であり、その他の点は同一である。【００９４】
（１）ＩＤＴ４ａ〜４ｃ，５ａ〜５ｃの電極指の対数：２２（５）／（３）３１（３）／（５）２２、但し、カッコ内の電極指の本数は１つの狭ピッチ電極指部Ｎの電極指の本数であり、カッコ外の電極指の本数は、狭ピッチ電極指部を除いたＩＤＴの電極指の本数である。ＩＤＴ５ａ〜５ｃの電極指の本数は、ＩＤＴ４ａ〜４ｃと等しくした。
【００９５】
（２）第２のＩＤＴ４ｂ，５ｂの狭ピッチ電極指部ＮのピッチＰ１＝０．４３７λＩ
（３）第１，第３のＩＤＴ４ａ，４ｃ，５ａ，５ｃの狭ピッチ電極指部Ｎの電極指ピッチＰ２＝０．４６２λＩ
すなわち、不平衡入力端子３に接続されているＩＤＴ４ｂ，５ｂの狭ピッチ電極指部Ｎの電極指の本数Ｎ１よりも、平衡出力端子７，９に接続されているＩＤＴ４ａ，４ｃ，５ａ，５ｃの狭ピッチ電極指部Ｎの電極指の本数Ｎ２を多くし、かつ電極指ピッチＰ１よりも電極指ピッチＰ２を大きくしている。【００９６】
図１７及び図１８は、第２の実施形態の弾性表面波フィルタの減衰量周波数特性及びＶＳＷＲ特性を示し、図１９（ａ）及び（ｂ）は、Ｓ１１側の反射特性及びＳ２２側の反射特性を示すスミスチャートである。【００９７】
図５〜図７と、図１７〜図１９とを比較すれば明らかなように、第２の実施形態ではＤＣＳ受信フィルタの通過帯域内における最大挿入損失は１．９６ｄＢであり、ＶＳＷＲの最大値は１．９０である。従って、図５〜図７に示した特性の比較例に比べて、第２の実施形態によれば、通過帯域内における最大挿入損失を約０．２０ｄＢに低減することができ、ＶＳＷＲについても約０．１０低減し得ることがわかる。【００９８】
第２の実施形態において、上記のように比較例に比べてフィルタ特性が改善される理由は以下の通りである。前述した以下の実施形態の原理を説明するのに用いた図１１（ａ）及び（ｂ）の反射特性から明らかなように、Ｓ１１側のインピーダンスを高くし、Ｓ２２側のインピーダンスを低くするには、ＩＤＴの電極指の本数を変更すればよい。この図１１に示した反射特性から平衡出力端子７，９に接続されている狭ピッチ電極指部Ｎの電極指の本数を３本から５本に増加させた場合のＳ１１側及びＳ２２側の反射特性を図２０（ａ）及び（ｂ）に示す。図２０から明らかなように、変更により、Ｓ１１側及びＳ２２側の双方の反射特性において共振Ｂがインピーダンス整合点に近づいていることがわかる。すなわち、ＩＤＴの電極指の本数だけでは調整できなかった共振Ｂのインピーダンスを、平衡出力端子７，９に接続されているＩＤＴ４ａ，４ｃ，５ａ，５ｃの狭ピッチ電極指部Ｎの電極指の本数を変更することにより調整することができた。そして、最終的に不平衡入力端子３及び平衡出力端子７，９にそれぞれ接続されているＩＤＴ４ａ〜４ｃ，５ａ〜５ｃの狭ピッチ電極指部Ｎの電極指の本数を最適化することにより、上述した第２の実施形態の特性が得られている。【００９９】
上記のように、第２の実施形態では、縦結合共振子型弾性表面波フィルタ部４，５の第２のＩＤＴを不平衡入力端子３に接続し、両側のＩＤＴ４ａ，４ｃ，５ａ，５ｃがそれぞれ第１，第２の平衡出力端子７，９に接続されており、それによって平衡−不平衡変換機能を有する弾性表面波フィルタにおいて、Ｎ１＜Ｎ２かつＰ１＜Ｐ２となるように構成することにより、不平衡入力端子３と平衡出力端子７，９のインピーダンス比が約１：２であるだけでなく、通過帯域内の挿入損失及びＶＳＷＲに優れた弾性表面波フィルタを提供し得ることがわかる。【０１００】
なお、本実施形態では、Ｐ１＜Ｐ２とされていたが、Ｐ１≠Ｐ２とすれば、本実施形態と同様に、良好なフィルタ特性を確保しつつ、不平衡入力端子３と平衡出力端子７，９のインピーダンス比を約１：２とすることができる。もっとも、好ましくは、上記のように、Ｐ１＜Ｐ２とすることにより、通過帯域内のＶＳＷＲをより一層小さくすることができる。【０１０１】
（他の実施形態）
第１，第２の実施形態では、インピーダンスを調整するため、不平衡入力端子３に接続されている第２のＩＤＴ４ｂ，５ｂの挟ピッチ電極指部Ｎの電極指ピッチＰ１と、平衡出力端子７，９に接続されているＩＤＴ４ａ，４ｃ，５ａ，５ｃの狭ピッチ電極指部Ｎの電極指ピッチＰ２とを異ならせる方法を用いたが、さらに、ＩＤＴのデューティをＩＤＴ毎に異ならせるなどの他のインピーダンス調整方法を併用してもよい。
【０１０２】
また、第１，第２の実施形態では、３個のＩＤＴを有し、中央に位置する第２のＩＤＴ４ｂ，５ｂを不平衡入力端子３に、左右に位置しているＩＤＴ４ａ，４ｃ，５ａ，５ｃを平衡出力端子７，９に接続することにより平衡−不平衡変換機能を有する弾性表面波フィルタ１が構成されていた。しかしながら、本発明は、このような電極構造の平衡−不平衡変換機能を有する弾性表面波フィルタに限定されない。図２１〜図２３は、本発明の第３〜第５の実施形態の弾性表面波フィルタの電極構造を示す模式的平面図である。
【０１０３】
図２１に示すように、第３の実施形態のバランス型弾性表面波フィルタ３１では、不平衡入力端子３３に、第１，第２の縦結合共振子型弾性表面波フィルタ部３４，３５が接続されている。弾性表面波フィルタ部３４，３５は、第１の実施形態の弾性表面波フィルタ１の弾性表面波フィルタ部４，５と同様に構成されている。もっとも、弾性表面波フィルタ部３４では、表面波伝搬方向両側の第１，第３のＩＤＴ３４ａ，３４ｃが不平衡入力端子３３に接続されている。また、中央に位置する第２のＩＤＴ３４ｂが１ポート型弾性表面波共振子３６を介して第１の平衡出力端子３７に電気的に接続されている。ＩＤＴ３４ａ〜３４ｃが設けられている部分の表面波伝搬方向両側には反射器３４ｄ，３４ｅが配置されている。１ポート型弾性表面波共振子３６は、１ポート型弾性表面波共振子６と同様に構成されている。【０１０４】
第２の弾性表面波フィルタ部３５においても、両側の第１，第３のＩＤＴ３５ａ，３５ｃが不平衡入力端子３３に接続されており、第２のＩＤＴ３５ｂが１ポート型弾性表面波共振子３８を介して第２の平衡出力端子３９に接続されている。すなわち、弾性表面波フィルタ３１では、表面波伝搬方向の第１，第３のＩＤＴ３４ａ，３４ｃ，３５ａ，３５ｃが不平衡入力端子３３に、中央の第２のＩＤＴ３４ｂ，３５ｂが第１，第２の平衡出力端子３７，３９にそれぞれ電気的に接続されている。【０１０５】
この場合においても、第１の実施形態と同様に、不平衡入力端子３３に接続されているＩＤＴ３４ａ，３４ｃ，３５ａ，３５ｃの狭ピッチ電極指部Ｎの電極指ピッチをＰ１とし、平衡出力端子３７，３９に接続されているＩＤＴ３４ｂ，３５ｂの狭ピッチ電極指部Ｎの電極指のピッチをＰ２とし、不平衡入力端子３３に接続されているＩＤＴ３４ａ，３４ｃ，３５ａ，３５ｃの狭ピッチ電極指部Ｎ以外の電極指部の電極指の本数をＫ１、該狭ピッチ電極指部Ｎの電極指の本数をＫ１ｎ、平衡出力端子３７，３９に接続されているＩＤＴ３４ｂ，３５ｂの狭ピッチ電極指部Ｎ以外の電極指部の電極指の本数をＫ２、該狭ピッチ電極指部Ｎの電極指の本数をＫ２ｎとしたときに、Ｐ１＞Ｐ２、及び１．１２≦Ｋ１／Ｋ２≦１．６５とすることにより、また、好ましくはさらにＫ１ｎ＝Ｋ２ｎとすることにより、通過帯域内の挿入損失及びＶＳＷＲが小さく、フィルタ特性が良好であり、かつ不平衡入力端子３３と平衡出力端子３７，３９のインピーダンス比が約１：２のバランス型弾性表面波フィルタを提供することができる。
【０１０６】
なお、第３の実施形態においても、好ましくは、さらに第１，第２の弾性表面波フィルタ部３４，３５におけるメタライゼーションレシオをｄ、電極指交叉幅をＷとしたとき、６７．４λＩ≦Ｗ／ｄ≦７４．３λＩとされ、それによって不平衡入力端子３３側のインピーダンスを５０Ωとした場合、平衡出力端子３７，３９側の出力インピーダンスを容易に１００Ωに設定することができる。【０１０７】
また、第３の実施形態においても、第２の実施形態と同様に、Ｐ１≠Ｐ２、好ましくは、Ｐ１＜Ｐ２とし、かつ不平衡入力端子３３に接続されているＩＤＴ３４ａ，３４ｃ，３５ａ，３５ｃの狭ピッチ電極指部Ｎの電極指の本数をＮ１、第１，第２の平衡出力端子３７，３９にそれぞれ接続されているＩＤＴ３４ｂ，３５ｂの狭ピッチ電極指部Ｎの電極指の本数をＮ２としたときに、Ｎ１＜Ｎ２とすることにより、複数の共振モードのインピーダンス調整の自由度が高められる。従って、通過帯域内の挿入損失やＶＳＷＲが小さく、良好なフィルタ特性を有するだけでなく、不平衡入力端子３３と、平衡出力端子３７，３９とのインピーダンス比を１：２に設定することが可能となる。
【０１０８】
図２２は、第４の実施形態に係る弾性表面波フィルタ４１の電極構造を示す模式的平面図である。第４の実施形態のバランス型弾性表面波フィルタ４１では、表面波伝搬方向に沿って５個のＩＤＴ４２ａ〜４２ｅが配置されている。ＩＤＴ４２ａ〜４２ｅが設けられている領域の表面波伝搬方向両側に反射器４２ｆ，４２ｇが配置されている。ＩＤＴ４２ａ〜４２ｅは、ＩＤＴ４ａ〜４ｃと同様に狭ピッチ電極指部Ｎを有する。すなわち、ギャップを隔てて表面波伝搬方向に隣り合っている一対のＩＤＴは、ギャップに面する電極指を含む一部の電極指のピッチがＩＤＴの残りの部分の電極指ピッチよりも小さくされている。【０１０９】
弾性表面波フィルタ４１では、ＩＤＴ４２ａ，４２ｃ，４２ｅが不平衡入力端子４３に接続されている。そして、ＩＤＴ４２ｂ，４２ｄが第１，第２の平衡出力端子４７，４９にそれぞれ電気的に接続されている。このような平衡−不平衡変換機能を有する弾性表面波フィルタ４１においても、不平衡入力端子４３に接続されているＩＤＴ４２ａ，４２ｃ，４２ｅの狭ピッチ電極指部Ｎの電極指ピッチをＰ１、該狭ピッチ電極指部Ｎの電極指の本数をＫ１ｎ、該狭ピッチ電極指部Ｎ以外の電極指の本数をＫ１とし、平衡出力端子４７，４９に接続されているＩＤＴ４２ｂ，４２ｄの狭ピッチ電極指部Ｎの電極指ピッチをＰ２、該狭ピッチ電極指部Ｎの電極指の本数をＫ２ｎ、該狭ピッチ電極指部Ｎ以外の電極指の本数をＫ２としたとき、Ｐ１＞Ｐ２、及び１．１２≦Ｋ１／Ｋ２≦１．６５とすることにより、好ましくは、さらにＫ１ｎ＝Ｋ２ｎとすることにより、通過帯域内の挿入損失及びＶＳＷＲの低減を図りつつ、不平衡入力端子４３と平衡出力端子４７，４９とのインピーダンス比を約１：２とすることができる。好ましくは、１３４．８λＩ≦Ｗ／ｄ≦１４８．６λＩとすることにより、不平衡入力端子４３側のインピーダンスを５０Ωとした場合、平衡出力端子４７，４９側のインピーダンスを１００Ωに容易に設定することができる。
【０１１０】
第４の実施形態においても、第２の実施形態と同様に、上記とは別に、Ｐ２＞Ｐ１、かつＮ２＞Ｎ１とすることによっても、不平衡入力端子と平衡出力端子のインピーダンス比を約１：２に容易に設定することができ、かつ通過帯域内の挿入損失及びＶＳＷＲの低減を果たすことができる。【０１１１】
図２３は、第５の実施形態のバランス型弾性表面波フィルタの電極構造を示す模式的平面図である。第５の実施形態の弾性表面波フィルタ５０は、ＩＤＴの数が３個であることを除いては、第４の実施形態の弾性表面波フィルタ４１と同様に構成されている。すなわち、第５の実施形態のバランス型弾性表面波フィルタ５０では、表面波伝搬方向に沿って３個のＩＤＴ４２ｂ〜４２ｄが配置されている。第１〜第３のＩＤＴ４２ｂ〜４２ｄが設けられている領域の表面波伝搬方向両側に反射器４２ｆ，４２ｇが設けられている。【０１１２】
従って、図２２のＩＤＴ４２ａ，４２ｅが削除されていることを除いて、弾性表面波フィルタ５０は、弾性表面波フィルタ４１と同様に構成されている。よって、同一部分については、同一の参照番号を付することにより、図２２に示した説明を援用することとする。【０１１３】
本実施形態においても、Ｐ１＞Ｐ２、及び１．１２≦Ｋ１／Ｋ２≦１．６５とすることにより、好ましくは、さらにＫ１ｎ＝Ｋ２ｎとすることにより、第４の実施形態の場合と同様に通過帯域内の挿入損失及びＶＳＷＲの低減を図りつつ、不平衡入力端子４３と平衡出力端子４７，４９とのインピーダンス比を約１：２とすることができる。また、好ましくは、１３４．８λＩ≦Ｗ／ｄ≦１４８．６λＩとすることにより、不平衡入力端子４３側のインピーダンスを５０Ωとした場合、平衡出力端子４７，４９側のインピーダンスを１００Ωに容易に設定することができる。【０１１４】
第５の実施形態においても、第２の実施形態と同様に、上記とは別にＮ２＞Ｎ１かつＰ２≠Ｐ１、好ましくはＮ２＞Ｎ１かつＰ２＞Ｐ１とすることによっても、不平衡入力端子と平衡出力端子のインピーダンス比を約１：２に容易に設定することができ、かつ通過帯域内の挿入損失及びＶＳＷＲの低減を果たすことができる。【０１１５】
図２４は、第６の実施形態のバランス型弾性表面波フィルタの電極構造を示す模式的平面図である。第６の実施形態のバランス型弾性表面波フィルタ５１では、表面波伝搬方向に沿って５個のＩＤＴ５２ａ〜５２ｅが配置されている。ＩＤＴ５２ａ〜５２ｅは、ＩＤＴ４２ａ〜４２ｅと同様に狭ピッチ電極指部Ｎを有する。また、ＩＤＴ５２ａ〜５２ｅが設けられている領域の表面波伝搬方向両側に反射器５２ｆ，５２ｇが配置されている。なお、中央のＩＤＴ５２ｃは、表面波伝搬方向に分割されたＩＤＴ部５２ｃ１，５２ｃ２を有する。【０１１６】
本実施形態では、不平衡入力端子５３に、ＩＤＴ５２ｂ，５２ｄが電気的に接続されている。そして、ＩＤＴ５２ａと、ＩＤＴ部５２ｃ１とが第１の平衡出力端子５７に電気的に接続されており、ＩＤＴ部５２ｃ２とＩＤＴ５２ｅとが第２の平衡出力端子５９に電気的に接続されており、それによって平衡−不平衡変換機能が実現されている。【０１１７】
本実施形態においても、不平衡信号端子である不平衡入力端子５３に接続されているＩＤＴ５２ｂ，５２ｄの狭ピッチ電極指部Ｎの電極指ピッチをＰ１、該狭ピッチ電極指部Ｎの電極指の本数をＫ１ｎ、該狭ピッチ電極指部Ｎ以外の電極指部の電極指の本数をＫ１とし、平衡出力端子５７，５９に接続されているＩＤＴ５２ａ，５２ｃ，５２ｅの狭ピッチ電極指部Ｎの電極指ピッチをＰ２、該狭ピッチ電極指部Ｎの電極指の本数をＫ２ｎ、該狭ピッチ電極指部Ｎ以外の電極指部の電極指の本数をＫ２としたとき、Ｐ１＞Ｐ２、及び１．１２≦Ｋ１／Ｋ２＝１．６５とすることにより、好ましくは、さらにＫ１ｎ＝Ｋ２ｎとすることにより、前述した各実施形態と同様にフィルタ特性を損なうことなく、不平衡信号端子と平衡信号端子とのインピーダンス比を約１：２とすることができる。第６の実施形態においても、好ましくは、６７．４λＩ≦Ｗ／ｄ≦７４．３λＩとすることにより、不平衡入力端子５３側のインピーダンスを５０Ωとした場合、平衡出力端子５７，５９側のインピーダンスを容易に１００Ωとすることができる。
【０１１８】
また、第６の実施形態においても、第２の実施形態と同様に、Ｐ１≠Ｐ２かつＮ１＜Ｎ２、好ましくは、Ｐ１＜Ｐ２かつＮ１＜Ｎ２とした構造とすることにより、第２の実施形態と同様に、不平衡入力端子５３と平衡出力端子５７，５９とのインピーダンス比が約１：２であり、しかも通過帯域内の挿入損失及びＶＳＷＲが小さい弾性表面波フィルタを提供することができる。【０１１９】
図２５は、第７の実施形態のバランス型弾性表面波フィルタの電極構造を示す模式的平面図である。第７の実施形態の弾性表面波フィルタ７０は、図２４に示したＩＤＴ５２ａ，５２ｅが省略されていることを除いては、第６の実施形態の弾性表面波フィルタ５１とほぼ同様に構成されている。従って、同一部分については、同一の参照番号を付することにより、第６の実施形態において行った説明を援用することとする。【０１２０】
本実施形態では、表面波伝搬方向に沿って第１〜第３のＩＤＴ５２ｂ〜５２ｄが配置されている。そして、中央の第２のＩＤＴ５２ｃが、ＩＤＴ部５２ｃ１，５２ｃ２を有するように分割されている。本実施形態においても、第６の実施形態の場合と同様に、Ｐ１＞Ｐ２、及び１．１２≦Ｋ１／Ｋ２≦１．６５とすることにより、好ましくは、さらにＫ１ｎ＝Ｋ２ｎとすることにより、フィルタ特性を損なうことなく、不平衡信号端子と平衡信号端子とのインピーダンス比を約１：２とすることができる。第７の実施形態においても、好ましくは、１３４．８λＩ≦Ｗ／ｄ≦１４８．６λＩとすることにより、不平衡入力端子５３側のインピーダンスを５０Ωとしたときに、平衡出力端子５７，５９側のインピーダンスを容易に１００Ωとすることができる。【０１２１】
また、第７の実施形態においても、第２の実施形態と同様にして、Ｐ１≠Ｐ２かつＮ１＜Ｎ２、好ましくはＰ１＜Ｐ２かつＮ１＜Ｎ２とした構造とすることにより不平衡入力端子５３と平衡出力端子５７，５９とのインピーダンス比が約１：２であり、しかも通過帯域内の挿入損失及びＶＳＷＲが小さい弾性表面波フィルタを提供することができる。【０１２２】
なお、第４，第６の実施形態に係る弾性表面波フィルタ４１，５１では、５個のＩＤＴ４２ａ〜４２ｅ及び５２ａ〜５２ｅが設けられていた。このように、本発明に係る弾性表面波フィルタでは、第１〜第３のＩＤＴからなる３個のＩＤＴだけでなく、５個以上のＩＤＴが表面波伝搬方向に配置されていてもよい。
【図１】
0004315199.tif 000002
【図２】
0004315199.tif 000003
【図３】
0004315199.tif 000004
【図４】
0004315199.tif 000005
【図５】
0004315199.tif 000006
【図６】
0004315199.tif 000007
【図７】
0004315199.tif 000008
【図８】
0004315199.tif 000009
【図９】
0004315199.tif 000010
【図１０】
0004315199.tif 000011
【図１１】
0004315199.tif 000012
【図１２】
0004315199.tif 000013
【図１３】
0004315199.tif 000014
【図１４】
0004315199.tif 000015
【図１５】
0004315199.tif 000016
【図１６】
0004315199.tif 000017
【図１７】
0004315199.tif 000018
【図１８】
0004315199.tif 000019
【図１９】
0004315199.tif 000020
【図２０】
0004315199.tif 000021
【図２１】
0004315199.tif 000022
【図２２】
0004315199.tif 000023
【図２３】
0004315199.tif 000024
【図２４】
0004315199.tif 000025
【図２５】
0004315199.tif 000026
【図２６】
0004315199.tif 000027
【図２７】
0004315199.tif 000028